【手続補正書】
【提出日】平成15年5月9日(2003.5.9)
【手続補正１】
【補正対象書類名】明細書
【補正対象項目名】特許請求の範囲
【補正方法】変更
【補正の内容】
【特許請求の範囲】
【請求項１】
（ａ）再生型燃料電池と、
（ｂ）（１）発信源からデータを受信し、（２）前記データに応じて、エネルギー源と再生型燃料電池のいずれか一方から１以上の負荷への電力供給を制御し、（３）前記データに応じて、前記燃料電池内における電気化学反応によって生成した１以上の反応生成物からエネルギー源の電力を用いて燃料を再生するように構成されたコントローラと、
を備えた、電力管理用システム。
【請求項２】
前記コントローラが、前記データに応じて、エネルギー源と再生型燃料電池のいずれか一方をして、１以上の負荷への電力供給に当たらせるように構成されたことを特徴とする請求項１に記載のシステム。
【請求項３】
前記コントローラが、前記データに応じて、エネルギー源と再生型燃料電池のいずれか一方を、１以上の負荷への電力供給から外すように構成されたことを特徴とする請求項１に記載のシステム。
【請求項４】
前記コントローラが、前記データに応じて、前記１以上の負荷の電力需要を調整するように構成されたことを特徴とする請求項３に記載のシステム。
【請求項５】
前記再生型燃料電池が、燃料を貯蔵するための燃料貯蔵ユニットと、その燃料を第２の反応物と電気化学的に反応させて電力を発生させるデバイスと、前記反応によって生じた反応生成物を貯蔵するための反応物貯蔵ユニットと、前記反応生成物から電気化学的に前記燃料を再生する燃料再生ユニットと、を備えたことを特徴とする請求項１に記載のシステム。
【請求項６】
前記再生型燃料電池が、さらに、第２の反応物貯蔵ユニットを備えることを特徴とする請求項５に記載のシステム。
【請求項７】
前記燃料が水素であることを特徴とする請求項５に記載のシステム。
【請求項８】
前記燃料が亜鉛であることを特徴とする請求項５に記載のシステム。
【請求項９】
前記第２の反応物が酸素であることを特徴とする請求項５に記載のシステム。
【請求項１０】
前記エネルギー源が、前記１以上の負荷に対して一次的に電力を供給するよう構成されたことを特徴とする請求項１に記載のシステム。
【請求項１１】
前記再生型燃料電池が、前記１以上の負荷に対してバックアップ電力を供給するように構成されたことを特徴とする請求項１０に記載のシステム。
【請求項１２】
前記再生型燃料電池が、前記１以上の負荷に対して一次的に電力を供給するよう構成されたことを特徴とする請求項１に記載のシステム。
【請求項１３】
前記エネルギー源が、前記１以上の負荷に対してバックアップ電力を供給するように構成されたことを特徴とする請求項１２に記載のシステム。
【請求項１４】
前記データの発信源が、前記エネルギー源であることを特徴とする請求項１に記載のシステム。
【請求項１５】
前記データの発信源が、前記１以上の負荷であることを特徴とする請求項１に記載のシステム。
【請求項１６】
前記データの発信源が、ユーザ入力デバイスであることを特徴とする請求項１に記載のシステム。
【請求項１７】
前記データの発信源が、外部デバイスであることを特徴とする請求項１に記載のシステム。
【請求項１８】
前記コントローラが、さらに前記データを蓄積するメモリを備えたことを特徴とする請求項１に記載のシステム。
【請求項１９】
前記データが、１以上のルール又は手順を表すことを特徴とする請求項１に記載のシステム。
【請求項２０】
前記コントローラは、前記燃料電池をして前記１以上の負荷に対して使用量のピーク期間の間電力を供給させ、前記エネルギー源をして前記１以上の負荷に対して使用量のオフピーク期間の間電力を供給させるように構成されていることを特徴とする請求項１に記載のシステム。
【請求項２１】
前記コントローラは、使用量のピーク期間の間、前記１以上の負荷に対する電力供給から前記エネルギー源を外し、使用量のオフピーク期間の間、前記１以上の負荷に対する電力供給から前記再生型燃料電池を外すことを特徴とする請求項２０に記載のシステム。
【請求項２２】
（ａ）データを発信源から受け取るステップと、
（ｂ）前記データに応じて、エネルギー源と再生型燃料電池のいずれか一方から１以上の負荷に対する電力供給を制御するステップと、
（ｃ）前記データに応じて、エネルギー源から電力を供給して、前記燃料電池内で起こった電気化学反応によって生じた１以上の反応生成物から前記燃料電池のための燃料を再生するステップと、
を備えた、１以上の負荷に対する電力供給方法。
【請求項２３】
さらに、前記データに応じて、エネルギー源と再生型燃料電池のいずれか一方をして、前記１以上の負荷に対して電力を供給させるステップを備えることを特徴とする請求項２２に記載の方法。
【請求項２４】
さらに、前記データに応じて、エネルギー源と再生型燃料電池のいずれか一方を、前記１以上の負荷に対する電力供給から外すステップを備えることを特徴とする請求項２２に記載の方法。
【請求項２５】
前記データが、１以上のルール又はパラメータを表すことを特徴とする請求項２２に記載の方法。
【請求項２６】
前記エネルギー源から前記データを受け取ることを特徴とする請求項２２に記載の方法。
【請求項２７】
前記１以上の負荷から前記データを受け取ることを特徴とする請求項２２に記載の方法。
【請求項２８】
ユーザ入力デバイスから前記データを受け取ることを特徴とする請求項２２に記載の方法。
【請求項２９】
前記データを、外部発信源から受け取ることを特徴とする請求項２２に記載の方法。
【請求項３０】
前記外部発信源が、インターネットサイトであることを特徴とする請求項２９に記載の方法。
【請求項３１】
さらに、前記データをメモリに蓄積するステップを備えたことを特徴とする請求項２２に記載の方法。
【請求項３２】
さらに、前記エネルギー源をして、１以上の負荷に対して使用量のオフピーク期間の間電力を供給させ、前記再生型燃料電池をして、１以上の負荷に対して使用量のピーク期間の間電力を供給させるステップを備えたことを特徴とする請求項２２に記載の方法。
【請求項３３】
使用量のピーク期間の間、前記１以上の負荷に対する電力供給から前記エネルギー源を外し、使用量のオフピーク期間の間、前記１以上の負荷に対する電力供給から前記再生型燃料電池を外すことを特徴とする請求項３２に記載の方法。
【請求項３４】
前記使用量のオフピーク期間の間、前記再生型燃料電池の再生ユニットに電力を与えるステップを備えたことを特徴とする請求項３２に記載の方法。
【手続補正２】
【補正対象書類名】明細書
【補正対象項目名】００４９
【補正方法】変更
【補正の内容】
【００４９】
通信デバイスのある例では、通信デバイスは図１及び図６に示すようにコンピュータとして構成されている。通信デバイス１０２は、ディスプレイ６００、入力デバイス４０４（キーボード６０２、ポインティングデバイス６０４）、ＣＰＵ（中央演算ユニット）６０６、メモリ６０８、Ｉ／Ｏコントローラ６１０、ディスクコントローラ６１２、ハードディスク６１４、フロッピＴＭディスクドライブ６１６、光ディスクドライブ６１８、モデム６２０及びネットワークカード６２２を含むハードウエアを備えたコンピュータとすることができる。各々のデバイスは、バス６２４を介して直接的に、又は各インターフェースやコントローラを介して相互通信を行う。コンピュータは、これらの一般的なデバイスに限定されず、他のコンピュータに関連するデバイスを備えていても良い。


【手続補正３】
【補正対象書類名】明細書
【補正対象項目名】００５１
【補正方法】変更
【補正の内容】
【００５１】
オペレーティングシステムは、通信デバイス用途に一般的ないかなるものであっても良い。例えば、オペレーティングシステムは、マイクロソフトウィンドウズＴＭ、マイクロソフトウィンドウズ９５ＴＭ、マイクロソフトウィンドウズ９８ＴＭ、マイクロソフトウィンドウズ２０００ＴＭ、マイクロソフトウィンドウズＮＴＴＭ、マイクロソフトウィンドウズＣＥＴＭ、マイクロソフトウィンドウズＴＭをベースとするあらゆるオペレーティングシステム、パームＴＭＯＳ，マックＯＳＴＭ、ＩＢＭのＯＳ／２ＴＭ、ユニックス、リナックス、ＰＬＣベース、プロプラエタリ（proprietary）ベースや他の同様のベースのオペレーティングシステムとすることができる。オペレーティングシステムは、好ましくは通信デバイス１０２に外部デバイスと通信させ、関連するアプリケーションを駆動させるようにする。通信ソフトウエアによって、通信デバイスは通信インターフェース７１２を会して外部デバイスとデータの送受信を行うことができる。


【手続補正４】
【補正対象書類名】明細書
【補正対象項目名】００７７
【補正方法】変更
【補正の内容】
【００７７】
図６は、第２の通信デバイス４０２の一例の詳細なブロックダイアグラムである。第２の通信デバイス４０２は、ディスプレイ６００、入力デバイス４０４（キーボード６０２、ポインティングデバイス６０４）、ＣＰＵ（中央演算ユニット）６０６、メモリ６０８、Ｉ／Ｏコントローラ６１０、ディスクコントローラ６１２、ハードディスク６１４、フロッピＴＭディスクドライブ６１６、光ディスクドライブ６１８、モデム６２０及びネットワークカード６２２を含むハードウエア装置を備えたコンピューターである。各々のデバイスは、バス６２４を介して直接的に、又は各インターフェースやコントローラを介して相互通信を行う。コンピュータは、これらの一般的なデバイスに限定されず、他のコンピュータに関連するデバイスを備えていても良い。


【手続補正５】
【補正対象書類名】明細書
【補正対象項目名】０１４２
【補正方法】変更
【補正の内容】
【０１４２】
通信デバイス１４０６の実施態様は、図１５Ａに示されており、図１４Ａ〜図１４Ｄと比べて同様な要素は同様な識別符号で参照される。この実施態様において、ロジック１４２２はリンク１４１６によってメモリ１４１４に接続される。ロジック１４２２は、ハードウェア、ソフトウェア、あるいはハードウェアとソフトウェアの組合せでもよい。一例において、ロジック１４２２は、メモリ１４１４または他のメモリなどのメモリに格納された一連の命令を実行するように構成されたマイクロプロセッサである。他の例において、ロジック１４２２は、有限状態マシーン(finite state machine)を内蔵した１つ以上の非同期集積回路（ＡＳＩＣ）を備えてもよい。他の例において、メモリ１４１４または他のメモリなどのメモリに格納された一連の命令を実行するように構成されたデジタルシグナルプロセッサ（ＤＳＰ）である。メモリ１４１４は、デジタルデータを格納する能力を有するデバイスであり、例えば、ＲＡＭ、ＲＯＭ、ＥＰＲＯＭ、ＥＥＰＲＯＭ、フラッシュメモリ、ＰＲＯＭ、ディスク、フロッピＴＭディスク、ハードディスク、ＣＤ−ＲＯＭ、ＤＶＤ等である。